(57)【特許請求の範囲】
【請求項１】
被施術者の頭部を載置する施術部が形成されているアイメイク施術台において、
前記施術部の周囲であって、載置される前記被施術者の頭部の左右位置、もしくは左右位置及び上方位置に、施術者の肘を固定可能な肘置き部を設け、この肘置き部が前記施術部の上方部に連結され、水平を軸にして前記施術部に対して回動可能であることを特徴とするアイメイク施術台。
【請求項２】
前記肘置き部は、クッション性を有することを特徴とする請求項１に記載のアイメイク施術台。
【請求項３】
リクライニング機構が付与されていることを特徴とする請求項１又は請求項２に記載のアイメイク施術台。
【請求項４】
請求項１から請求項３の何れか１項に記載のアイメイク施術台を用い、施術者の肘を前記肘置き部に固定してアイメイク施術を行う、
ことを特徴とするアイメイク施術方法。
【発明の詳細な説明】
【技術分野】
【０００１】
本発明は、理美容院等でのアイラッシュ、アイブロウ等をはじめとするアイメイク分野で活用されるアイメイク施術台及びアイメイク施術方法に関し、施術者のストレス軽減及び施術効率、施術技術の向上を図ることのできるアイメイク施術台及びアイメイク施術方法に関する。
【背景技術】
【０００２】
従来、アイラッシュ、アイブロウ等のアイメイク施術時に用いる施術台（施術椅子）には、背もたれ部位のリクライニング機能のみが付されていた。一方で、施術者の行う施術方法は凡そ、以下のとおりであった。また、施術時間は平均で、１〜２時間程度といわれている。
１）背筋を伸ばす。
２）脇を閉め、肘を固定する。
３）額に手をあてる（あてない場合もある。）。
４）施術者の目と被施術者の目（被施術部）との位置関係を決める（施術者と被施術者の目を水平位置で決める場合、施術者が被施術者の目を見下ろす位置で決める場合等がある。）。
５）被施術部に対してピンセット等を用いて施術する。
【０００３】
なお、先行技術文献として、つけまつ毛を装着する方法等についての発明が下記特許文献１、２に提案されている。
【先行技術文献】
【特許文献】
【０００４】
【特許文献１】特開２０１２−４６８５２号公報
【特許文献２】特許第５２４８８８３号公報
【発明の概要】
【発明が解決しようとする課題】
【０００５】
従来のアイメイク施術では、上記１）〜５）から理解されるように、施術者が脇を閉めることで肘を固定して施術するため、長時間の安定した施術が難しかった。また、不安定な姿勢で施術するため、施術者の身体への負担が大きいという問題があった。様々な施術方法が存在する一方、一台で数多くの施術方法を実施可能とする機器（施術台）が開発されていないという現状もあった。
【０００６】
本発明は上記実情に鑑み提案され、施術者が肘を固定することができ、施術が安定する肘置き部を設け、これにより長時間になる施術であっても、その姿勢を安定させて身体への負担を軽減し、かつ、一台で数多くの施術が可能となるアイメイク施術台及びアイメイク施術方法を提供することを目的とする。
【課題を解決するための手段】
【０００７】
上記目的を達成するため、本発明は、被施術者の頭部を載置する施術部が形成されているアイメイク施術台において、前記施術部の周囲であって、載置される前記被施術者の頭部の左右位置、もしくは左右位置及び上方位置に、施術者の肘を固定可能な肘置き部を設けたことを特徴とする。
【０００８】
前記肘置き部は、水平を軸にして回動可能であることが好ましい。前記肘置き部は、クッション性を有することがさらに好ましい。また、上記アイメイク施術台は、リクライニング機構が付与されていることが好ましい。
【０００９】
本発明は、上記アイメイク施術台を用い、施術者の肘を前記肘置き部に固定してアイメイク施術を行うことを特徴とするアイメイク施術方法である。
【発明の効果】
【００１０】
本発明は、被施術者の頭部を載置する施術部が形成されているアイメイク施術台において、施術部の周囲であって、載置される被施術者の頭部の左右位置、もしくは左右位置及び上方位置に、施術者の肘を固定可能な肘置き部を構成している。したがって、施術者は、自ら脇を閉める必要がなく、肘置き部により肘を固定させてアイメイク等の施術することができるので、施術が安定するとともに、施術効率を向上させることができる。さらに、施術時の姿勢が安定するから、施術者の身体への負担を軽減することもできる。
【００１１】
本発明において、肘置き部が水平を軸にして回動可能である構成とすれば、肘置き部を回動させることで、施術者の好みにあった角度での肘の固定が実現する。さらに、目じり部の施術を行うとき等、やや特殊な施術パターン（施術者の手の動き）が必要となる際にも、これに対応した肘の固定が可能となって、一台で様々な施術を実施することができる。肘置き部がクッション性を有する構成とすれば、肘置き部に肘の荷重をかけることで確実な固定が望め、施術の安定性を高めて施術効率を確実に向上させることができる。さらに、施術者の身体への負担も激減すると期待される。また、リクライニング機構が付与されている構成とすれば、例えば、被施術者が座った状態と仰向けになった状態とで行うアイメイク等の施術を、被施術者に施術台の移動を強いることなく一台で済ませることができることとなる。
【００１２】
そして、本発明に係るアイメイク施術方法は、上記アイメイク施術台を用い、施術者の肘を肘置き部に固定してアイメイク等の施術を行う構成であるので、施術者の施術が安定するとともに、施術効率が向上し、かつ身体への負担を軽減することもでき、かつ、様々な施術パターン（施術者の手の動き）に対応したアイメイク施術方法として提供することができる。
【００１３】
なお、例えば、肘置き部にスピーカーを埋め込む構成とすれば、アイメイク等の施術中に被施術者が音楽を聴取可能することで、被施術者にリラックスしてもらうといった効果を得ることができる。これにより、上述したように１〜２時間程度という比較的長時間にわたって拘束してしまうアイメイク等の施術において、被施術者の心身ストレスを軽減することができる。
【図面の簡単な説明】
【００１４】
【図１】本発明のアイメイク施術台の一例を概略斜視で示す概略斜視図である。
【図２】本発明のアイメイク施術台における肘置き部の回動の様子を示し、（ａ）は回動前の概略斜視図、（ｂ）は回動後の概略斜視図である。
【図３】本発明のアイメイク施術台のリクライニング機構を示し、（ａ）はリクライニング前の概略断面図、（ｂ）はリクライニング後の概略断面図である。
【図４】本発明のアイメイクュ施術台において、回動前の肘置き部の状態でアイメイク等の施術がされている様子を説明する説明図である。
【図５】本発明のアイメイク施術台において、回動後の肘置き部の状態でアイメイク等の施術（目じり部の施術）がされている様子を説明する説明図である。
【図６】本発明のアイメイク施術台における肘置き部のバリエーションを（ａ）〜（ｆ）において現した概略斜視図である。
【発明を実施するための形態】
【００１５】
以下、本発明に係るアイメイク施術台の一実施形態について図面を参照しつつ説明する。この実施形態は、本発明の構成を具現化した例示に過ぎず、本発明は、特許請求の範囲に記載した事項を逸脱することがなければ、種々の設計変更を行うことができる。なお、以下の説明において、アイメイク施術とは、理美容院等でのアイラッシュ、アイブロウ等をはじめとするアイメイクの分野で、施術者が行う様々な施術を含んだ総称をいう。
【００１６】
本発明は、被施術者の頭部を載置する施術部が形成され、この施術部の周囲に、一台で数多くの施術が可能となるとともに、施術者の身体的負担が軽減されて、施術の安定、施術効率の向上等が実現されるための特徴を備えさせて構成されたアイメイク施術台に係る。本発明に係るアイメイク施術台１は、具体的には図１に示すように、被施術者の下半身が載置される座部１１と、この座部１１に連続し、被施術者の背中が載置される背もたれ部１２と、この背もたれ部１２の座部１１の側と逆側に連続し、被施術者の頭部が載置される施術部１３とを含んで構成される。施術部１３の周囲であって、載置される被施術者の頭部の左右位置及び上方位置には、施術者の肘を固定可能な肘置き部１４が設けられている。
【００１７】
肘置き部１４は、本実施形態において、施術部１３の周囲であって、載置される被施術者の頭部の左右位置１４１，１４２から上方位置１４３に連続し、一体化された略逆Ｕ字形状を有している。上方位置１４３の表面よりも、左右位置１４１，１４２の表面の面積を大きくすることで、施術者の肘を、時と場合に応じて左右位置１４１，１４２の適切な位置に固定することができる形状としている。上方位置１４３の表面の面積が少ないことにより、施術者は被施術者により接近することが可能で、施術しやすいという利点もある。さらに、一定程度の厚み（厚み部分１４４）を有しているので、施術者は肘置き部１４の厚み部分１４４に腕を圧接させることにより、肘を固定することも可能である。
【００１８】
また、本発明に係るアイメイク施術台１は、図２に示すように、肘置き部１４の背面に水平方向に設けられた水平軸１４５を有し、この水平軸１４５を中心（軸）に回動可能な構成であることが好ましい。すなわち、本発明は、図２（ａ）に示すように、背もたれ部１２の被施術者がもたれる面と、肘置き部１４の左右位置１４１，１４２の表面及び上方位置１４３の表面とが平行面又はほぼ平行面である状態から、図２（ｂ）に示すように、水平軸１４５を中心（軸）に肘置き部１４を回動させることで、背もたれ部１２の被施術者がもたれる面に対し、肘置き部１４の左右位置１４１，１４２の表面及び上方位置１４３の表面が約９０度の角度を最大で有する状態にすることができる。回動機構としては、その角度を数段に調節することのできる機械式でも、好みの角度で背もたれを固定できる電動式でもよく、用途に応じて選択すればよい。
【００１９】
肘置き部１４を回動させることにより、施術者の好みにあった角度での肘の固定が実現する。さらに、目じり部の施術を行うとき（図５等参照）等をはじめ、様々な手の動きが必要となる際に、これに対応した肘の固定を図るために必要な角度に、肘置き部１４を回動させることができ、肘置き部１４上の適切な位置に、常に肘を決めることが可能となる。したがって、施術の安定性が増し、効率も向上するほか、一台で様々な施術方法を実施可能になる。
【００２０】
背もたれ部１２には、図３に示すように、リクライニング機構が付与されていることが好ましい。すなわち、図３（ａ）に示すように、被施術者がアイメイク施術台１に座ることのできる状態から、図３（ｂ）に示すように、リクライニング機構により、背もたれ部１２を後方に倒して、仰向けに横になることができる状態へ変化させるリクライニング機構が付与されている構成である。これにより、例えば、異なるアイメイク施術を施術台の移動を被施術者に強いることなく一台で済ませることができる。リクライニング機構としては、その角度を数段に調節することのできる機械式、好みの角度で背もたれを固定できる油圧シリンダー等のいずれも採用可能である。また、電動式でも好みの角度で背もたれを固定できる。本実施形態では、図３（ａ）及び図３（ｂ）に示すように、好みの角度で背もたれ部１２を固定できる油圧シリンダー１５を備えた脚部１０の構成により、リクライニング機構が構築されている。
【００２１】
また、本実施形態では、図３（ａ）及び図３（ｂ）に示すように、リクライニング機構によって、背もたれ部１２が後方に倒れるのと同時に、座部１１の端部側（被施術者の足元側）が起き上がり、座部１１及び背もたれ部１２における被施術者が接する面が、ほとんど水平になるようにされている。被施術者が仰向けになったときの下半身の負担を軽減するためである。
【００２２】
以下、図４及び図５等を参照しつつ、本発明に係るアイメイク施術方法について説明する。本実施形態では、上述した構成のアイメイク施術台を用い、施術者の肘を肘置き部１４に固定してアイメイク施術を行うものである。
【００２３】
まず、被施術者をアイメイク施術台１に座らせた状態から、付与されているリクライニング機構により座部１１及び背もたれ部１２の被施術者が接する面が略水平になるようにし、被施術者を仰向けにして横たえる。そして、図４に示すように、アイメイク施術を開始する。図４において、背もたれ部１２の被施術者がもたれる面と、肘置き部１４の左右位置１４１，１４２の表面及び上方位置１４３の表面とはほぼ平行面とされている。
【００２４】
続いて、アイメイク施術を進める過程で、例えば、目じり部の施術を行うときには、図５に示すように、水平軸１４５を中心（軸）に肘置き部１４を回動させて、背もたれ部１２の被施術者がもたれる面に対し、肘置き部１４の左右位置１４１，１４２の表面及び上方位置１４３の表面とで形成される角度が約６０〜９０度となるような状態にする。その他、目じり部の施術を行うとき以外にも、水平軸１４５を中心（軸）に回動させ、肘置き部１４を背もたれ部１２の被施術者がもたれる面に対して任意の角度として、肘を固定するようにすることができる。これにより、目じり部の施術をはじめ、様々な手の動きが必要となる際にも、それぞれ対応して肘置き部１４上の適切な位置に肘を決めることが可能となる。
【００２５】
したがって、本発明では、施術部１３の周囲であって、載置される被施術者の頭部の左右位置１４１，１４２から上方位置１４３に連続し、一体化された略逆Ｕ字形状を有する肘置き部１４が設けられる構成により、施術者は、自ら脇を閉める必要がなく、施術者の肘を時と場合に応じて肘置き部１４の左右位置１４１，１４２の適切な位置に固定することができ、施術が安定するとともに、施術効率を向上させることができる。さらに、施術者の身体への負担を軽減することもできる。
【００２６】
また、肘置き部１４が、その背面に水平方向の水平軸１４５を有し、この水平軸１４５を中心（軸）に回動可能な構成であるので、肘置き部１４を回動させることにより、施術者の好みにあった角度で肘を固定することができる。さらに、目じり部の施術を行うとき（図５等参照）等、様々な手の動きが必要となる際に、これに対応した肘の固定に必要な角度に肘置き部１４を回動させることができ、肘置き部１４上の適切な位置に、常に肘を固定することが可能となる。これにより、施術の安定性が増し、効率も向上するほか、一台で様々な施術方法を実施可能になる。アイメイク施術台１にリクライニング機構を付与することにより、被施術者が座った状態と仰向けになった状態とで行うアイメイク等の施術を、被施術者に施術台の移動を強いることなく済ませることができる。
【００２７】
ここで、図６に示すように、本発明に係るアイメイク施術台の肘置き部は、上述した形状に限らず、様々なバリエーションを取り得ることができる。図６（ａ）に示すように、載置される被施術者の頭部の左右位置１４１ａ，１４２ａの表面部分を突出した円形形状としたり、図６（ｂ）に示すように、載置される被施術者の頭部の左右位置１４１ｂ，１４２ｂの表面を突出した矩形形状としたりすることで、施術者の肘を固定する肘置き部１４ａ，１４ｂの箇所を強調したり、図６（ｃ）に示すように、載置される被施術者の頭部の左右位置１４１ｃ，１４２ｃの表面を左右方向に幅広の三角形状としたり、図６（ｄ）に示すように、載置される被施術者の頭部の左右位置１４１ｄ，１４２ａの表面を野球のミットのような形状としたりすることで、施術者の肘を固定する肘置き部１４ｃ，１４ｄの箇所を拡大することができる。図６（ｅ）、図６（ｆ）に示すように、肘置き部１４ｅ，１４ｆの厚み部分１４４ｅ，１４４ｆを厚くし、腕で肘を固定することの多いアイメイク施術の用途に特に適したバリエーション等を提供することができる。
【００２８】
以上、本発明の一実施形態を例示して説明したが、本発明は、特許請求の範囲に記載された事項を逸脱することがなければ、種々の設計変更を行うことが可能である。例えば、上述したように、施術部の周囲に設けられる肘置き部に関し、載置される被施術者の頭部の左右位置から上方位置の三方にそれぞれ、一定の厚みを有するクッション性のものを備えさせることであっても本発明を構成することができる。この場合、上方位置に設けるものに、水平を軸にして回動する仕組みを採用することが好ましい。また、本発明は、載置される被施術者の頭部の少なくとも左右位置に肘置き部を設けることにより、施術者の負担軽減等の一定の効果を得ることができるようになる。クッション性を付与するための素材は、例えば、ウレタン等が適切であるが、ウレタンに限られず、適度な弾性及び荷重吸収性を備えたものであれば肘置き部の材質として採用することができる。
【００２９】
また、上記一実施形態では、施術椅子タイプのアイメイク施術台について説明したが、例えば、ベッドタイプのアイメイク施術台を構成してもよく、同様の効果を得ることができる。リクライニング機構を付与して被施術者を仰向けにして横たえた状態と座った状態とにすることが可能だからであり、異なるアイメイク施術を施術台の移動を被施術者に強いることなく一台のアイメイク施術台で済ませることができる。
【符号の説明】
【００３０】
１              アイメイク施術台
１０            脚部
１１            座部
１２            背もたれ部
１３            施術部
１４            肘置き部
１４１，１４２  左右位置
１４３          上方位置
１４４          厚み部分
１４５          水平軸
１４ａ，１４ｂ，１４ｃ，１４ｄ，１４ｅ，１４ｆ  肘置き部
１４１ａ，１４１ｂ，１４１ｃ，１４１ｄ  左右位置
１４２ａ，１４２ｂ，１４２ｃ，１４２ｄ  左右位置
１４３ａ，１４３ｂ，１４３ｃ，１４３ｄ  上方位置
１４４ｅ，１４４ｆ  厚み部分
１５            油圧シリンダー
【図１】
0005920790.tif 000002
【図２】
0005920790.tif 000003
【図３】
0005920790.tif 000004
【図４】
0005920790.tif 000005
【図５】
0005920790.tif 000006
【図６】
0005920790.tif 000007